(57)【要約】【課題】物流配送業者が各配送先（物品受領主）から受領印の押印を受けた配送伝票を回収した後に配送（配達）完了処理のための配送伝票の押印を確認し、その各伝票に表示されている伝票固有情報と認証印のＩＣタグに記録された認証データを書込／読取端末にて読み取って、伝票への押印の実行をデータとして確認し、配送結果を集計する膨大な作業を効率化して、物品の配送から配送（配達）完了の証明処理と集計及び配送状況データの集計を能率的に実施できるようにする。【解決手段】ホルダー部１と、認証名３の刻設された印字ヘッド部２とを備えた印鑑等の認証印Ａ本体内に、前記認証名３に対応する固有の認証データを書き込み又は／及び読み出し可能なＲＦタグ等のＩＣタグ４が内蔵され、前記ＩＣタグ４の認証データが書込／読取端末Ｂを介して書き込み又は／及び読み出し可能な認証印Ａを用いた配送システム。【選択図】図３
2005239376.tif 000002
【特許請求の範囲】
【請求項１】
ホルダー部１と、認証名３の刻設された印字ヘッド部２とを備えた印鑑等の認証印Ａ本体内に、前記認証名３に対応する固有の認証データを書き込み又は／及び読み出し可能なＲＦタグ（Ｒａｄｉｏ  Ｆｒｅｑｕｅｎｃｙ  Ｉｄｅｎｔｉｆｉｃａｔｉｏｎ  Ｔａｇ）等のＩＣタグ４が内蔵され、前記ＩＣタグ４の認証データが書込／読出端末Ｂを介して書き込み又は／及び読み出し交信可能であることを特徴とするＩＣ内蔵認証印。
【請求項２】
ホルダー部１と、認証名３の刻設された印字ヘッド部２とを備えた印鑑等の認証印Ａ本体内に、該印字ヘッド部２側に近接して前記認証名３に対応する固有の認証データを書き込み又は／及び読み出し可能なＲＦタグ（Ｒａｄｉｏ  Ｆｒｅｑｕｅｎｃｙ  Ｉｄｅｎｔｉｆｉｃａｔｉｏｎ  Ｔａｇ）等のＩＣタグ４が内蔵され、前記ＩＣタグ４の認証データが、書込／読出端末Ｂを介して、書き込み又は／及び読み出し交信可能であることを特徴とするＩＣ内蔵認証印。
【請求項３】
前記固有の認証データが認証印Ａ本体の認証名３に対応する個人識別情報であることを特徴とする請求項１又は２記載のＩＣ内蔵認証印。
【請求項４】
ホルダー部１と物品受領主の認証名３の刻設された印字ヘッド部２とを備えた印鑑等の認証印Ａ本体内に、該印字ヘッド部２側に近接して前記認証名３に対応する固有の認証データを書き込み及び読み出し可能なＲＦタグ（Ｒａｄｉｏ  Ｆｒｅｑｕｅｎｃｙ  Ｉｄｅｎｔｉｆｉｃａｔｉｏｎ  Ｔａｇ）等のＩＣタグ４が内蔵された物品受領主側の認証印Ａと、該認証印Ａの認証データをＩＣタグ４に対して書き込み又は／及び読み出し可能であって、読み出された認証印Ａの認証データと比較照合するための登録済み認証データが予め記憶され且つ読み出された該認証印Ａの認証データと登録済み認証データとを比較照合する物品配送業者側の書込／読出端末Ｂと、該書込／読出端末Ｂに対して前記物品受領主側の認証印Ａの認証データと比較照合するための登録済み認証データを物品配送前にアップローディングして記憶させ、且つ該書込／読出端末Ｂが集積した照合結果情報を配送後にダウンローディングしてファイリングする物品配送業者側の配送データファイリング端末Ｃと、物品配送業者側の認証処理管理手段Ｄとを備え、各々物品受領主が前記認証印Ａを受領印として前記物品配送業者の物品配送伝票に押印する際に、物品配送業者側の前記書込／読出端末Ｂにて該認証印Ａの認証データを読み出し、読み出した該認証印Ａの認証データと記憶する登録済み認証データとを比較照合してその照合結果情報を記憶集積した後、その照合結果情報を前記データファイリング端末Ｃに送信してファイリングし、ファイリングした照合結果情報に基づいて、前記認証処理管理手段Ｄにより物品の配送完了の証明処理と集計及び配送状況データの集計を行うことを特徴とするＩＣ内蔵認証印を用いた物流配送システム。
【請求項５】
ホルダー部１と物品受領主の認証名３の刻設された印字ヘッド部２とを備えた印鑑等の認証印Ａ本体内に、該印字ヘッド部２側に近接して前記認証名３に対応する固有の認証データを書き込み及び読み出し可能なＲＦタグ（Ｒａｄｉｏ  Ｆｒｅｑｕｅｎｃｙ  Ｉｄｅｎｔｉｆｉｃａｔｉｏｎ  Ｔａｇ）等のＩＣタグ４が内蔵された物品受領主側の認証印Ａと、該認証印Ａの認証データをＩＣタグ４に対して書き込み又は／及び読み出し可能であって、読み出された認証印Ａの認証データと比較照合するための登録済み認証データが予め記憶され且つ読み出された該認証印Ａの認証データと登録済み認証データとを比較照合する物品配送業者側の書込／読出端末Ｂと、該書込／読出端末Ｂに対して前記物品受領主側の認証印Ａの認証データと比較照合するための登録済み認証データを物品配送前にアップローディングして記憶させ、且つ配送後に該書込／読出端末Ｂが集積した配送結果情報をインターネットＮを介して送信してファイリングする物品配送業者側の配送データファイリング端末Ｃと、物品配送業者側の認証処理管理手段Ｄとを備え、各々物品受領主が前
記認証印Ａを受領印として前記物品配送業者の物品配送伝票に押印する際に、物品配送業者側の前記書込／読出端末Ｂにて該認証印Ａの認証データを読み出し、読み出した該認証印Ａの認証データと記憶する登録済み認証データとを比較照合してその照合結果情報を記憶集積した後、その照合結果情報を前記データファイリング端末Ｃに送信してファイリングし、ファイリングした照合結果情報に基づいて、前記認証処理管理手段Ｄにより物品の配送完了の証明処理と集計及び配送状況データの集計を行うことを特徴とするＩＣ内蔵認証印を用いた物流配送システム。
【請求項６】
ホルダー部１と物品受領主の認証名３の刻設された印字ヘッド部２とを備えた印鑑等の認証印Ａ本体内に、該印字ヘッド部２側に近接して前記認証名３に対応する固有の認証データを書き込み及び読み出し可能なＲＦタグ（Ｒａｄｉｏ  Ｆｒｅｑｕｅｎｃｙ  Ｉｄｅｎｔｉｆｉｃａｔｉｏｎ  Ｔａｇ）等のＩＣタグ４が内蔵された物品受領主側の認証印Ａと、該認証印Ａの認証データをＩＣタグ４に対して書き込み又は／及び読み出し可能であって、読み出された該認証印Ａの認証データと登録済み認証データとを比較照合する物品配送業者側の書込／読出端末Ｂと、登録済み認証データが記憶され且つ前記書込／読出端末ＢからインターネットＮを介して送信される前記認証印Ａの認証データに該当する登録済み認証データを検索し比較照合して前記書込／読出端末Ｂに照合結果情報を返信し、且つ配送後に該書込／読出端末Ｂが集積した照合結果情報をダウンローディングしてファイリングする物品配送業者側の配送データファイリング端末Ｃと、物品配送業者側の認証処理管理手段Ｄとを備え、各々物品受領主が前記認証印Ａを受領印として前記物品配送業者の物品配送伝票に押印する際に、物品配送業者側の前記書込／読出端末Ｂにて該認証印Ａの認証データを読み出してデータファイリング端末Ｃに送信し、該データファイリング端末Ｃにて該認証印Ａの認証データに該当する登録済み認証データを検索し比較照合してその照合結果情報を前記書込／読出端末Ｂに返信するとともに記憶集積し、集積した照合結果情報に基づいて、前記認証処理管理手段Ｄにより物品の配送完了の証明処理と集計及び配送状況データの集計を行うことを特徴とするＩＣ内蔵認証印を用いた物流配送システム。
【請求項７】
前記固有の認証データが認証印Ａ本体の物品受領主の認証名３に対応する該物品受領主の個人識別情報であることを特徴とする請求項４乃至６のいずれか１項記載のＩＣ内蔵認証印を用いた物流配送システム。
【発明の詳細な説明】
【技術分野】
【０００１】
本発明は、印鑑等の認証印に刻設した認証名に対応するＩＤコード等の個人情報を記憶するＩＣタグを認証印本体に内蔵したＩＣ内蔵認証印及びＩＣ内蔵認証印を用いた物流配送システムに関する。
【背景技術】
【０００２】
従来の認証印は、一般に売買契約などの契約時の調印用の印鑑や、製品や宅配品等の物品の物流配送時の物流配送伝票など帳票類への認印や受領印などとして広く使用されており、例えば、そのような認証印は、物品の配送業者が、配送先（物品受領主）に物品を配送した時点で、配送業者（配送員）が配送先から配送伝票の押印欄に押印を受けるための受領印として使用されている。
【０００３】
上記物品の配送業者（配送員）は、各配送先から受領印を受けた配送伝票を回収した後に、各配送拠点（配送デポなど）にて集積し、配送（配達）完了処理のために、集積した全ての伝票の押印を確認し、その各伝票に表示されている伝票固有情報であるバーコードを読取手段にて読み取って集計するなどの膨大な作業を実施している。
【発明の開示】
【発明が解決しようとする課題】
【０００４】
本発明の課題は、物流配送業者が各配送先（物品受領主）から受領印の押印を受けた配送伝票を回収した後に、配送（配達）完了処理のための配送伝票の押印を確認し、その各伝票に表示されている伝票固有情報であるバーコードを読取手段にて読み取って集計する膨大な作業を効率化して、物品の配送から配送（配達）完了の証明処理と集計、及び配送状況データの集計を能率的に実施できるようにすることにある。
【課題を解決するための手段】
【０００５】
本発明の請求項１に係る発明は、ホルダー部１と、認証名３の刻設された印字ヘッド部２とを備えた印鑑等の認証印Ａ本体内に、前記認証名３に対応する固有の認証データを書き込み又は／及び読み出し可能なＲＦタグ（Ｒａｄｉｏ  Ｆｒｅｑｕｅｎｃｙ  Ｉｄｅｎｔｉｆｉｃａｔｉｏｎ  Ｔａｇ）等のＩＣタグ４が内蔵され、前記ＩＣタグ４の認証データが、書込／読出端末Ｂを介して、書き込み又は／及び読み出し交信可能であることを特徴とするＩＣ内蔵認証印である。
【０００６】
本発明の請求項２に係る発明は、ホルダー部１と、認証名３の刻設された印字ヘッド部２とを備えた印鑑等の認証印Ａ本体内に、該印字ヘッド部２側に近接して前記認証名３に対応する固有の認証データを書き込み又は／及び読み出し可能なＲＦタグ（Ｒａｄｉｏ  Ｆｒｅｑｕｅｎｃｙ  Ｉｄｅｎｔｉｆｉｃａｔｉｏｎ  Ｔａｇ）等のＩＣタグ４が内蔵され、前記ＩＣタグ４の認証データが、書込／読出端末Ｂを介して、書き込み又は／及び読み出し交信可能であることを特徴とするＩＣ内蔵認証印である。
【０００７】
本発明の請求項３に係る発明は、上記請求項１又は２に係るＩＣ内蔵認証印において、前記固有の認証データが認証印Ａ本体の認証名３に対応する個人識別情報であることを特徴とするＩＣ内蔵認証印である。
【０００８】
本発明の請求項４に係る発明は、ホルダー部１と物品受領主の認証名３の刻設された印字ヘッド部２とを備えた印鑑等の認証印Ａ本体内に、該印字ヘッド部２側に近接して前記認証名３に対応する固有の認証データを書き込み及び読み出し可能なＲＦタグ（Ｒａｄｉ
ｏ  Ｆｒｅｑｕｅｎｃｙ  Ｉｄｅｎｔｉｆｉｃａｔｉｏｎ  Ｔａｇ）等のＩＣタグ４が内蔵された物品受領主側の認証印Ａと、該認証印Ａの認証データをＩＣタグ４に対して書き込み又は／及び読み出し可能であって、読み出された認証印Ａの認証データと比較照合するための登録済み認証データが予め記憶され且つ読み出された該認証印Ａの認証データと登録済み認証データとを比較照合する物品配送業者側の書込／読出端末Ｂと、該書込／読出端末Ｂに対して前記物品受領主側の認証印Ａの認証データと比較照合するための登録済み認証データを物品配送前にアップローディングして記憶させ、且つ該書込／読出端末Ｂが集積した照合結果情報を配送後にダウンローディングしてファイリングする物品配送業者側の配送データファイリング端末Ｃと、物品配送業者側の認証処理管理手段Ｄとを備え、各々物品受領主が前記認証印Ａを受領印として前記物品配送業者の物品配送伝票に押印する際に、物品配送業者側の前記書込／読出端末Ｂにて該認証印Ａの認証データを読み出し、読み出した該認証印Ａの認証データと記憶する登録済み認証データとを比較照合してその照合結果情報を記憶集積した後、その照合結果情報を前記データファイリング端末Ｃに送信してファイリングし、ファイリングした照合結果情報に基づいて、前記認証処理管理手段Ｄにより物品の配送完了の証明処理と集計及び配送状況データの集計を行うことを特徴とするＩＣ内蔵認証印を用いた物流配送システムである。
【０００９】
本発明の請求項５に係る発明は、ホルダー部１と物品受領主の認証名３の刻設された印字ヘッド部２とを備えた印鑑等の認証印Ａ本体内に、該印字ヘッド部２側に近接して前記認証名３に対応する固有の認証データを書き込み及び読み出し可能なＲＦタグ（Ｒａｄｉｏ  Ｆｒｅｑｕｅｎｃｙ  Ｉｄｅｎｔｉｆｉｃａｔｉｏｎ  Ｔａｇ）等のＩＣタグ４が内蔵された物品受領主側の認証印Ａと、該認証印Ａの認証データをＩＣタグ４に対して書き込み又は／及び読み出し可能であって、読み出された認証印Ａの認証データと比較照合するための登録済み認証データが予め記憶され且つ読み出された該認証印Ａの認証データと登録済み認証データとを比較照合する物品配送業者側の書込／読出端末Ｂと、該書込／読出端末Ｂに対して前記物品受領主側の認証印Ａの認証データと比較照合するための登録済み認証データを物品配送前にアップローディングして記憶させ、且つ配送後に該書込／読出端末Ｂが集積した配送結果情報をインターネットＮを介して送信してファイリングする物品配送業者側の配送データファイリング端末Ｃと、物品配送業者側の認証処理管理手段Ｄとを備え、各々物品受領主が前記認証印Ａを受領印として前記物品配送業者の物品配送伝票に押印する際に、物品配送業者側の前記書込／読出端末Ｂにて該認証印Ａの認証データを読み出し、読み出した該認証印Ａの認証データと記憶する登録済み認証データとを比較照合してその照合結果情報を記憶集積した後、その照合結果情報を前記データファイリング端末Ｃに送信してファイリングし、ファイリングした照合結果情報に基づいて、前記認証処理管理手段Ｄにより物品の配送完了の証明処理と集計及び配送状況データの集計を行うことを特徴とするＩＣ内蔵認証印を用いた物流配送システムである。
【００１０】
本発明の請求項６に係る発明は、ホルダー部１と物品受領主の認証名３の刻設された印字ヘッド部２とを備えた印鑑等の認証印Ａ本体内に、該印字ヘッド部２側に近接して前記認証名３に対応する固有の認証データを書き込み及び読み出し可能なＲＦタグ（Ｒａｄｉｏ  Ｆｒｅｑｕｅｎｃｙ  Ｉｄｅｎｔｉｆｉｃａｔｉｏｎ  Ｔａｇ）等のＩＣタグ４が内蔵された物品受領主側の認証印Ａと、該認証印Ａの認証データをＩＣタグ４に対して書き込み又は／及び読み出し可能であって、読み出された認証印Ａの認証データと比較照合するための登録済み認証データが予め記憶され且つ読み出された該認証印Ａの認証データと登録済み認証データとを比較照合する物品配送業者側の書込／読出端末Ｂと、登録済み認証データが記憶され且つ前記書込／読出端末ＢからインターネットＮを介して送信される前記認証印Ａの認証データに該当する登録済み認証データを検索し比較照合して前記書込／読出端末Ｂに照合結果情報を返信し、且つ配送後に該書込／読出端末Ｂが集積した照合結果情報をダウンローディングしてファイリングする物品配送業者側の配送データファイリング端末Ｃと、物品配送業者側の認証処理管理手段Ｄとを備え、各々物品受領主が前記
認証印Ａを受領印として前記物品配送業者の物品配送伝票に押印する際に、物品配送業者側の前記書込／読出端末Ｂにて該認証印Ａの認証データを読み出してデータファイリング端末Ｃに送信し、該データファイリング端末Ｃにて該認証印Ａの認証データに該当する登録済み認証データを検索し比較照合してその照合結果情報を前記書込／読出端末Ｂに返信するとともに記憶集積し、集積した照合結果情報に基づいて、前記認証処理管理手段Ｄにより物品の配送完了の証明処理と集計及び配送状況データの集計を行うことを特徴とするＩＣ内蔵認証印を用いた物流配送システムである。
【００１１】
本発明の請求項７に係る発明は、上記請求項４乃至６のいずれか１項に係るＩＣ内蔵認証印を用いた物流配送システムにおいて、前記固有の認証データが認証印Ａ本体の物品受領主の認証名３に対応する該物品受領主の個人識別情報であることを特徴とするＩＣ内蔵認証印を用いた物流配送システムである。
【発明の効果】
【００１２】
本発明の請求項１、２、３に係るＩＣ内蔵認証印は、図１（ａ）〜（ｃ）に示すようにホルダー部１と、認証名３の刻設された印字ヘッド部２とを備えた印鑑等の認証印Ａ本体内に、認証名３に対応する固有の認証データを書き込み又は／及び読み出し可能なＲＦタグ（Ｒａｄｉｏ  Ｆｒｅｑｕｅｎｃｙ  Ｉｄｅｎｔｉｆｉｃａｔｉｏｎ  Ｔａｇ）等のＩＣタグ４（交信機能付きメモリ）が内蔵されており、図２（ａ）に示すように、ＩＣタグ４の記憶データの書き込みや読み出しが可能な書込／読出端末Ｂ（携帯用端末、リーダー・ライターなど）を用いて、該認証印Ａの表面に近接又は接触させることによって、該認証印Ａ本体に内蔵されているＩＣタグａの固有の認証データの書き込みや読み出しの交信が可能となる。また、図２（ｂ）に示すように、本発明のＩＣ内蔵認証印を用いて帳票類５に押印する際に、その帳票類５の押印面と反対面側に、書込／読出端末Ｂを配置して、ＩＣ内蔵認証印Ａの印字ヘッド部２に刻設された認証名３を帳票類５に押印することにより、押印と同時に、前記書込／読出端末Ｂによって、認証印Ａに内蔵したＩＣタグ４の固有の認証データを読み取り、該端末Ｂのメモリに記録することができ、押印の実行をデータとして記録することができるものである。
【００１３】
また、本発明のＩＣ内蔵認証印Ａは、認証印Ａ本体内へのＩＣタグ４（交信機能付きメモリ）の内蔵位置を、認証名３の刻設された印字ヘッド部２側に出来る限り近接させ、印字ヘッド部２（又は認証名３面）と、ＩＣタグ４との距離ｄを近接させて内蔵することにより、ＩＣ内蔵認証印Ａを用いて帳票類６面に押印する際に、押印する面と反対面側に配置した書込／読出端末Ｂに対して、ＩＣタグ４をより近接させることができ、書込／読出端末Ｂによる認証データの書き込み又は／及び読み出し動作がより良好且つ正確に行い得るようになる。
【００１４】
本発明の請求項４、５、６、７に係るＩＣ内蔵認証印を用いた物流配送システムは、図３、図４のシステムブロック図に示すように、ホルダー部１と、物品受領主の認証名の刻設された印字ヘッド部２とを備え、ＩＣタグ４が内蔵された物品受領主側のＩＣ内蔵認証印Ａと、該認証印Ａに内蔵するＩＣタグａのＩＤ（認証データ）と、配送用伝票類データ（配送伝票番号など伝票識別記号）をＩＣタグ４に対して書き込み又は／及び読み出し可能であって、読み出された認証印Ａの認証データと比較照合するための登録済み認証データが予め記憶されており、且つ読み出された該認証印Ａの認証データと登録済み認証データとを比較照合可能な物品配送業者側の書込／読出端末Ｂと、該書込／読出端末Ｂに対して前記物品受領主側の認証印Ａの認証データと比較照合するための登録済み認証データを、物品の配送前に、有線、無線、あるいはインターネットＮ等を介して送信しアップローディングして記憶させることができ、該書込／読出端末Ｂが集積した照合結果情報を、物品の配送後に、有線、無線、あるいはインターネットＮ等を介して送信しダウンローディングしてファイリングする物品配送業者側の配送データファイリング端末Ｃと、物品配送
業者側の認証処理管理手段Ｄとを備えるものである。
【００１５】
そのために、物品配送業者（配送員）が、各々物品受領主に対して物品を配送し、各々物品受領主が、前記ＩＣ内蔵認証印Ａを受領印として物品配送伝票等に押印する際に、各々物品受領主側の前記認証印Ａに内蔵するＩＣタグ４に記憶された受領主の固有情報である認証データを、物品配送業者（配送員）側の前記書込／読出端末Ｂにて読み取り、該端末Ｂのメモリに記録することができ、押印の実行をデータとして記録することができるものである。
【００１６】
また、配送業者側の前記書込／読出端末Ｂには、各々物品受領主の所持する認証印Ａの認証データとを比較照合して、一致・不一致を確認するための登録済みの登録済み認証データが、物品配送前に予め配送業者側の配送データファイリング端末Ｃからダウンロードされて記憶されており、前記書込／読出端末Ｂにて読み出した各々物品受領主の認証印Ａの認証データは、その書込／読出端末Ｂにて、予め記憶されている登録済みの認証データと直ちに比較照合でき、その照合結果に基づいて物品配送先が真の配送先であるか否かを物品受領主先にて直ちに確認して判断することができるものである。
【００１７】
また、物品配送業者（配送員）が、該書込／読出端末Ｂにて集積した照合結果情報は、その端末Ｂに一旦、記憶でき、物品の配送後に、その端末Ｂから物品配送業者側の配送データファイリング端末Ｃに対して、端末Ｂの搭載する記憶媒体（ＣＤ−ＲＯＭなど）、有線、無線、あるいはインターネットＮ等を介して送信し、ダウンローディングしてファイリングし記憶集積することができる。
【００１８】
配送データファイリング端末Ｃに記憶集積されてデータ登録さた各々物品受領主に関する照合結果情報は、物品配送業者側の社内ネットワーク（イントラネットＮ1 ）を介して認証処理管理手段Ｄに送信することができ、認証処理管理手段Ｄにて、各々物品受領主の認証データを用いて物品の配送完了の証明処理と集計、あるいは配送状況データの集計等を行うことができる。
【００１９】
このように、本発明のＩＣ内蔵認証印を用いた物流配送システムは、物品受領主の所有するＩＣ内蔵認証印Ａと、物品受領主の所有するＩＣ内蔵認証印ＡのＩＣタグ４の認証データを書き込み又は／及び読み出すための物品配送業者側が所有する書込／読出端末Ｂと、該書込／読出端末Ｂに対してアップローディング及びダウンローディング可能に接続された配送データファイリング端末Ｃと、認証処理管理手段Ｄとにより、物品受領主の認証と、物品の配送完了の証明処理と集計、配送状況データの集計等を正確且つ効率的且つ能率的に行うことができるものである。
【発明を実施するための最良の形態】
【００２０】
本発明のＩＣ内蔵認証印について以下に詳細に説明すれば、ＩＣ内蔵認証印Ａは、図１（ａ）の側面図及び図１（ｂ）の下面図に示すように、ホルダー部１と、認証名３（例えば、「凸版」という名字）の刻設された印字ヘッド部２とを備え、該認証印Ａ本体の内部には、図１（ｃ）に示すように認証印Ａ本体内に搭載可能な微小なＩＣタグ４（交信用ＣＰＵ回路、メモリ回路、交信用アンテナなどを搭載）が内蔵されている。
【００２１】
印字ヘッド部２の認証名３は、そのＩＣ内蔵認証印Ａを所有する所有者名を刻設表示したものであり、ＩＣタグ４は、前記ＩＣ内蔵認証印Ａを所有する所有者の認証名３に対応する個人識別情報、あるいはＩＣ内蔵認証印Ａを所有する所有者に固有の認証データを、書込／読出端末Ｂ（携帯用端末、リーダーライターなど）によって書き込み又は／及び読み出し可能な機能を備えている。
【００２２】
ＩＣ内蔵認証印Ａに内蔵するＩＣタグ４は、該ＩＣタグ４の認証データを、図２（ａ）に示すように書込／読出端末Ｂにより書き込み又は／及び読み出しすることができるようになっている。
【００２３】
ＩＣタグ４は、例えば、ＲＦタグ（Ｒａｄｉｏ  Ｆｒｅｑｕｅｎｃｙ  Ｉｄｅｎｔｉｆｉｃａｔｉｏｎ  Ｔａｇ）などであって、該ＩＣタグ４に書き込まれている認証データを前記書込／読出端末Ｂにより読み出すことができ、所定の遠隔地に配置された所定のデータファイリンク端末手段（又はデータベース、サーバなど）に対して、インターネットなどネットワークを介して無線、有線方式にて送信してファイリングすることができる。
【００２４】
認証印Ａ本体内に内蔵するＩＣタグ４の内蔵位置は特に限定されるものではないが、例えば、図１（ｃ）に示すように、認証名３の刻設された印字ヘッド部２側に出来る限り近接させて、印字ヘッド部２（又は認証名３面）とＩＣタグ４との距離ｄを近接させて内蔵することが望ましい。
【００２５】
本発明のＩＣ内蔵認証印Ａは、図２（ａ）に示すように、書込／読出端末Ｂを用いて、該認証印Ａの表面に近接又は接触させることによって、該認証印Ａ本体に内蔵されているＩＣタグａの固有の認証データの書き込みや読み出しの交信が可能となる。
【００２６】
また、本発明のＩＣ内蔵認証印Ａは、図２（ｂ）に示すように、帳票類５に押印する際に、その帳票類５の押印面と反対面側に、書込／読出端末Ｂを配置し、ＩＣ内蔵認証印Ａの印字ヘッド部２に刻設された認証名３を帳票類５に押印することにより、押印と同時に、前記書込／読出端末Ｂによって、認証印Ａに内蔵したＩＣタグ４の固有の認証データを読み取ることができるようになっている。
【００２７】
次に、本発明の請求項４に係るＩＣ内蔵認証印を用いた物流配送システムの実施例について、図３に示すシステムブロック図に基づいて以下に詳細に説明する。
【００２８】
図３に示すように、物品の受領主が所有する前述したＩＣ内蔵認証印Ａと、該認証印Ａに内蔵するＩＣタグ４のＩＤ（認証データ）と、配送用伝票類データ（配送伝票番号など伝票識別記号）を書き込み又は／及び読み出す物品配送業者側の書込／読出端末Ｂ（ＩＣタグ４と交信可能であって該ＩＣタグ４にデータの書き込み又は／及び読み出し可能な交信用アンテナと交信用ＣＰＵ回路、メモリ回路を備えた携帯用端末）と、該書込／読出端末Ｂにて読み出される認証データをファイリングする物品配送業者側の配送データファイリング端末Ｃと、物品配送業者側の認証処理管理手段Ｄとを備え、物品配送業者側の前記書込／読出端末Ｂと配送データファイリング端末Ｃとは、有線Ｌ1 若しくは社内ネットワークＮ1 を介して接続していて、互いに交信及び入出力が可能となっている。
ている。
【００２９】
本発明の物流システムにおけるＩＣ内蔵認証印Ａは、各々物品受領主が所有しており、物流配送業者（配送員）が配送した物品を各々物品受領主が受領して、その際に、その認証印Ａを受領印として配送員が提示する物品配送伝票等の帳票類に朱肉等を用いて押印するものであり、その際に、物流配送業者（配送員）の所持する書込／読出端末Ｂにて認証印Ａに内蔵するＩＣタグ４のＩＤ（認証データ）を読み取るものである。
【００３０】
物品配送業者側の前記書込／読出端末Ｂは、認証印Ａに内蔵するＩＣタグａのＩＤ（認証データ）と、配送用伝票類データ（配送伝票番号など伝票識別記号）をＩＣタグ４に対して書き込み又は／及び読み出し可能であって、読み出された物品受領主の所有する認証印Ａの認証データ（ＩＤ）と比較照合するための該物品受領主の登録済み認証データが予めメモリに記憶されている。また、読み出された物品受領主の所有する認証印Ａの認証デ
ータ（ＩＤ）と、予め記憶されている登録済み認証データとを比較照合して、互いに一致しているか、不一致であるかを判定して、物品の配送先（物品受領主）の正否を確認できるようになっている。
【００３１】
また、物品配送業者側の配送データファイリング端末Ｃは、前記書込／読出端末Ｂに対して、有線Ｌ1 又は社内ネットワークＮ1 を介して接続しており、前記物品受領主の所有する認証印Ａの認証データ（ＩＤ）と比較照合するための該物品受領主の登録済み認証データ（ＩＤ）を、予め物品の配送前に有線Ｌ1 （又は社内ネットワークＮ1 ）にてアップローディングして、該端末Ｂのメモリに記憶させることができるようになっており、また、物品の配送後には、該書込／読出端末Ｂが集積した照合結果情報を有線Ｌ1 （又は社内ネットワークＮ1 ）にてダウンローディングして、該配送データファイリング端末Ｃにファイリングすることができるようになっている。
【００３２】
前記物品配送業者側の認証処理管理手段Ｄは、配送データファイリング端末Ｃと有線Ｌ1 （又は社内ネットワークＮ1 ）を介して接続していて、配送データファイリング端末Ｃにファイリングされた端末Ｂが集積した照合結果情報を、物流配送管理用データとして利用して、該物流配送管理用データに基づいて物品の配送完了の証明処理と集計及び配送状況データの集計等を行うことができる。
【００３３】
次に、本発明の請求項５に係るＩＣ内蔵認証印を用いた物流配送システムの実施例について、図４に示すシステムブロック図に基づいて以下に詳細に説明する。
【００３４】
図４に示すように、物品の受領主が所有する前述したＩＣ内蔵認証印Ａと、該認証印Ａに内蔵するＩＣタグ４のＩＤ（認証データ）と、配送用伝票類データ（配送伝票番号など伝票識別記号）を、書き込み又は／及び読み出す物品配送業者側の書込／読出端末Ｂ（ＩＣタグ４と交信可能であって該ＩＣタグ４にデータの書き込み又は／及び読み出し可能な交信用アンテナと交信用ＣＰＵ回路、メモリ回路を備えた携帯用端末）と、該書込／読出端末Ｂにて読み出される認証データをファイリングする物品配送業者側の配送データファイリング端末Ｃと、物品配送業者側の認証処理管理手段Ｄとを備え、物品配送業者側の前記書込／読出手段Ｂと配送データファイリング端末Ｃとは、有線Ｌ1 若しくは社内ネットワークＮ1 及びインターネットＮを介して接続していて互いに交信及び入出力が可能となっている。
【００３５】
物品配送業者側の前記書込／読出端末Ｂは、認証印Ａに内蔵するＩＣタグａのＩＤ（認証データ）と、配送用伝票類データ（配送伝票番号など伝票識別記号）をＩＣタグ４に対して書き込み又は／及び読み出し可能であって、読み出された物品受領主の所有する認証印Ａの認証データ（ＩＤ）と比較照合するための該物品受領主の登録済み認証データ（ＩＤ）が、予めメモリに記憶されている。また、読み出された物品受領主の認証印Ａの認証データ（ＩＤ）と、予め記憶されている物品受領主の登録済み認証データとを比較照合して、互いに一致しているか、不一致であるかを判定して、物品の配送先（物品受領主）の正否を確認できるようになっている。
【００３６】
また、物品配送業者側の配送データファイリング端末Ｃは、前記書込／読出端末Ｂに対して、有線Ｌ1 若しくは社内ネットワークＮ1 、及びインターネットＮを介して接続しており、前記物品受領主の認証印Ａの認証データ（ＩＤ）と比較照合するための物品受領主の登録済み認証データ（ＩＤ）を、予め物品の配送前に有線Ｌ1 （又は社内ネットワークＮ1 ）にてアップローディングして、該端末Ｂのメモリに記憶させることができるようになっており、また、物品の配送後には、該書込／読出端末Ｂが集積した照合結果情報を、有線Ｌ1 若しくは社内ネットワークＮ1 とインターネットＮのいずれか一方を介して、配送データファイリング端末Ｃにファイリングすることができるようになっている。
【００３７】
前記物品配送業者側の認証処理管理手段Ｄは、配送データファイリング端末Ｃと有線Ｌ1 （又は社内ネットワークＮ1 ）を介して接続していて、配送データファイリング端末Ｃにファイリングされた端末Ｂが集積した照合結果情報を、物流配送管理用データとして利用して、該物流配送管理用データに基づいて物品の配送完了の証明処理と集計及び配送状況データの集計等を行うことができる。なお、該認証処理管理手段Ｄは、必要に応じてインターネットＮを介して、書込／読出端末Ｂ及び配送データファイリング端末Ｃに接続交信できるようになっていてもよい。
【００３８】
次に、本発明の請求項６に係るＩＣ内蔵認証印を用いた物流配送システムの実施例について、図４に示すシステムブロック図に基づいて以下に詳細に説明する。
【００３９】
図４に示すように、物品の受領主が所有する前述したＩＣ内蔵認証印Ａと、該認証印Ａに内蔵するＩＣタグ４のＩＤ（認証データ）と、配送用伝票類データ（配送伝票番号など伝票識別記号）を、書き込み又は／及び読み出す物品配送業者側の書込／読出端末Ｂ（ＩＣタグ４と交信可能であって、該ＩＣタグ４にデータの書き込み又は／及び読み出し可能な交信用アンテナと交信用ＣＰＵ回路、メモリ回路を備えた携帯用端末）と、該書込／読出端末Ｂにて読み出される認証データをファイリングする物品配送業者側の配送データファイリング端末Ｃと、物品配送業者側の認証処理管理手段Ｄとを備え、物品配送業者側の前記書込／読出手段Ｂと配送データファイリング端末Ｃとは、インターネットＮを介して接続していて互いに交信及び入出力が可能となっている。
【００４０】
物品配送業者側の前記書込／読出端末Ｂは、物品配送依頼主の所有する認証印Ａに内蔵するＩＣタグａのＩＤ（認証データ）と、物品配送業者（配送員）が提出する配送用伝票類に記載された配送データ（配送伝票番号など伝票識別記号）を、ＩＣタグ４に対して、書き込み又は／及び読み出し可能であって、読み出された該認証印Ａの認証データと登録済み認証データとを比較照合して、互いに一致しているか、不一致であるかを判定して、物品の配送先（物品受領主）の正否を確認できるようになっている。
【００４１】
物品配送業者側の配送データファイリング端末Ｃは、前記書込／読出端末Ｂに対して、インターネットＮを介して接続しており、前記書込／読出端末ＢからインターネットＮを介して送信される前記認証印Ａの認証データ（ＩＤ）に該当する登録済み認証データ（ＩＤ）を、該ファイリング端末Ｃに登録されている登録済み認証データ（ＩＤ）の中から検索し、比較照合して、前記書込／読出端末Ｂに照合結果情報をインターネットＮを介して返信できるようになっており、該書込／読出端末Ｂが集積した照合結果情報を、インターネットＮを介して該端末Ｃにファイリングできるようになっている。又は、物品を配送後に、該書込／読出端末Ｂが集積した照合結果情報を、該端末Ｂから有線Ｌ1 又は社内ネットワークＮ1 を介してダウンローディングして該端末Ｃにファイリングできるようになっている。
【００４２】
前記物品配送業者側の認証処理管理手段Ｄは、配送データファイリング端末Ｃと有線Ｌ1 （又は社内ネットワークＮ1 ）を介して接続していて、配送データファイリング端末Ｃにファイリングされた端末Ｂが集積した照合結果情報を、物流配送管理用データとして利用して、該物流配送管理用データに基づいて物品の配送完了の証明処理と集計及び配送状況データの集計等を行うことができる。なお、該認証処理管理手段Ｄは、必要に応じてインターネットＮを介して、書込／読出端末Ｂ及び配送データファイリング端末Ｃに接続交信できるようになっていてもよい。
【００４３】
本発明の請求項４に係るＩＣ内蔵認証印を用いた物流配送システムの具体的実施例を、図５〜図６に示すシステムフローチャートに基づいて以下に詳細に説明する。
【００４４】
＜ｓｔｅｐ１＞
まず、物品配送依頼主（物品送り主）は、物品配送業者（配送請負主、配送引受店、配送事業所）に、物品受領主への物品の配送を依頼する。
【００４５】
＜ｓｔｅｐ２＞
物品配送業者は、配送依頼主の配送依頼によって、所定の配送伝票（配送業者用、物品添付用、配送依頼主（送り主）控え用、物品受領主控え用）に、配送伝票識別番号、物品配送依頼主名、配送物品名、物品受領主名などを記入して配送伝票を作成するとともに、物品配送依頼主の控え用配送伝票を、物品配送依頼主（物品送り主）に渡し、物品添付用配送伝票と物品受領主控え用配送伝票を、配送対象の物品に添付し、配送引受担当事業所名、物品配送依頼主名、配送物品名、物品受領主の認証データ（ＩＤ）、配送日等の配送データを、キーボード（マウス）などにて、配送データファイリング端末Ｃに、データ入力し、記録し、物品受領主の登録済み認証データ（ＩＤ）として登録する。
【００４６】
＜ｓｔｅｐ３＞
物品配送業者（配送員）は、配送前に、物品配送業者側の配送データファイル端末Ｃに登録された各物品受領主Ａ1 〜Ａn の登録済み認証データの中から、配送員が担当する物品受領主の登録済み認証データ（配送伝票識別番号、物品受領主認証データなど）を有線Ｌ1 にて書込／読出端末Ｂのメモリにアップローディングする。
【００４７】
＜ｓｔｅｐ４＞
物品配送業者（配送員）は、配送時に、物品を物品受領主に手渡配達し、その都度、携帯する書込／読出端末Ｂにて、その物品に添付された配送伝票識別番号（バーコードなど）を読み取る。
【００４８】
＜ｓｔｅｐ５＞
物品受領主は、物品に添付した配送伝票に認証印Ａを押印し、配送員は、書込／読出端末Ｂにて、物品受領主の押印した認証印Ａの内蔵ＩＣチップ４に記憶した物品受領主の認証データ（ＩＤ）を読み取る。
【００４９】
＜ｓｔｅｐ６＞
物品配送業者（配送員）は、押印された配送伝票を回収する。
【００５０】
＜ｓｔｅｐ７＞
ｓｔｅｐ５にて書込／読出端末Ｂにより、物品受領主の押印した認証印Ａの内蔵ＩＣチップ４に記憶した物品受領主の認証データ（ＩＤ）が読み取られた場合は、ｓｔｅｐ８に進み、読み取り不能の場合には、ｓｔｅｐ１１に進む。
【００５１】
＜ｓｔｅｐ８＞
配送員は、書込／読出端末Ｂにて読み出した認証データ（配送伝票識別番号及び受領主の認証印ＡのＩＤ）と、書込／読出端末Ｂにアップローディングした登録済み認証データ（登録済み配送伝票識別番号及び登録済み認証データ）とを比較照合して、物品受領主の押印した認証印Ａの登録、未登録の判定を行う。
【００５２】
＜ｓｔｅｐ９＞
書込／読出端末Ｂにて読み出した受領主の認証印ＡのＩＤが、登録済みの認証印ＡのＩＤと一致していれば、登録された認証印Ａとしてｓｔｅｐ１０に進み、不一致であれば、ｓｔｅｐ１１に進む。
【００５３】
＜ｓｔｅｐ１０＞
書込／読出端末Ｂにて読み出した認証データ（配送伝票識別番号及び受領主の認証印ＡのＩＤ）と、書込／読出端末Ｂにアップローディングした登録済み認証データ（登録済み配送伝票識別番号及び登録済み認証データ）とが一致している場合は、ｓｔｅｐ１２に進み、不一致でれば、ｓｔｅｐ１１に進む。
【００５４】
＜ｓｔｅｐ１１＞
ｓｔｅｐ５、７にて、書込／読出端末Ｂにより認証印Ａの読み取り不能の場合、あるいはｓｔｅｐ９にて、認証印Ａが未登録の場合、あるいはｓｔｅｐ１０にて、書込／読出端末Ｂにて読み出した認証データと登録済み認証データとが不一致の場合は、通常印（ＩＣタグの内蔵されていない印鑑）の押印扱いとして、ｓｔｅｐ１５に進む。
【００５５】
＜ｓｔｅｐ１２＞
ｓｔｅｐ１０にて、書込／読出端末Ｂにて読み出した認証データと、登録済み認証データとが一致している場合、配送員は、書込／読出端末Ｂのメモリに、照合結果情報として当該配送伝票識別番号に押印した認証印ＡのＩＤの一致と物品配送済みとを記録する。
【００５６】
＜ｓｔｅｐ１３＞
配送業者（配送員）は、物品を配送後に、書込／読出端末Ｂに記録集積された照合結果情報を、有線Ｌ1 にて配送データファイル端末Ｃにダウンローディングする。
【００５７】
＜ｓｔｅｐ１４＞
配送データファイル端末Ｃの配送データリスト中の当該配送伝票識別番号欄が配送済みと記録登録される。
【００５８】
＜ｓｔｅｐ１５＞
配送員は、書込／読出端末Ｂに、ｓｔｅｐ１１にて通常印扱いとなった当該配送伝票識別番号を入力し記録する。
【００５９】
＜ｓｔｅｐ１６＞
配送業者（配送員）は、配送後に、書込／読出端末Ｂに記録された通常印扱いの配送伝票識別番号を有線Ｌ1 にて配送データファイル端末Ｃにダウンローディングする。
【００６０】
＜ｓｔｅｐ１７＞
配送業者（配送員）は、記録された通常印扱い配送データファイル中の通常印扱いによる配送伝票識別番号と、回収した配送伝票の配送伝票識別番号を目視照合するとともに、回収された当該配送伝票に通常印の押印がされていることを確認した後、ｓｔｅｐ１４に進み、配送データファイル端末Ｃの配送データリスト中の当該配送伝票識別番号欄に配送済みと記録登録する。
【００６１】
本発明の請求項５に係るＩＣ内蔵認証印を用いた物流配送システムの具体的実施例を、図７〜図８に示すシステムフローチャートに基づいて以下に詳細に説明する。
【００６２】
＜ｓｔｅｐ１＞
まず、物品配送依頼主（物品送り主）は、物品配送業者（配送請負主、配送引受店、配送事業所）に、物品受領主への物品の配送を依頼する。
【００６３】
＜ｓｔｅｐ２＞
物品配送業者は、配送依頼主の配送依頼によって、所定の配送伝票（配送業者用、物品添付用、配送依頼主（送り主）控え用、物品受領主控え用）に、配送伝票識別番号、物品
配送依頼主名、配送物品名、物品受領主名などを記入して配送伝票を作成するとともに、物品配送依頼主の控え用配送伝票を、物品配送依頼主（物品送り主）に渡し、物品添付用配送伝票と物品受領主控え用配送伝票を、配送対象の物品に添付し、配送引受担当事業所名、物品配送依頼主名、配送物品名、物品受領主の認証データ（ＩＤ）、配送日等の配送データを、キーボード（マウス）などにて、配送データファイリング端末Ｃに、データ入力し、記録し、物品受領主の登録済み認証データ（ＩＤ）として登録する。
【００６４】
＜ｓｔｅｐ３＞
物品配送業者（配送員）は、配送前に、物品配送業者側の配送データファイル端末Ｃに登録された各物品受領主Ａ1 〜Ａn の登録済み認証データの中から、配送員が担当する物品受領主の登録済み認証データ（配送伝票識別番号、物品受領主認証データなど）を有線Ｌ1 又はインターネットＮを介して、書込／読出端末Ｂのメモリにアップローディングする。
【００６５】
＜ｓｔｅｐ４＞
物品配送業者（配送員）は、配送時に、物品を物品受領主に手渡配達し、その都度、携帯する書込／読出端末Ｂにて、その物品に添付された配送伝票識別番号（バーコードなど）を読み取る。
【００６６】
＜ｓｔｅｐ５＞
物品受領主は、物品に添付した配送伝票に認証印Ａを押印し、配送員は、書込／読出端末Ｂにて、物品受領主の押印した認証印Ａの内蔵ＩＣチップ４に記憶した物品受領主の認証データ（ＩＤ）を読み取る。
【００６７】
＜ｓｔｅｐ６＞
物品配送業者（配送員）は、押印された配送伝票を回収する。
【００６８】
＜ｓｔｅｐ７＞
ｓｔｅｐ５にて書込／読出端末Ｂにより、物品受領主の押印した認証印Ａの内蔵ＩＣチップ４に記憶した物品受領主の認証データ（ＩＤ）が読み取られた場合は、ｓｔｅｐ８に進み、読み取り不能の場合には、ｓｔｅｐ１１に進む。
【００６９】
＜ｓｔｅｐ８＞
配送員は、書込／読出端末Ｂにて読み出した認証データ（配送伝票識別番号及び受領主の認証印ＡのＩＤ）と、書込／読出端末Ｂにアップローディングした登録済み認証データ（登録済み配送伝票識別番号及び登録済み認証データ）とを比較照合して、物品受領主の押印した認証印Ａの登録、未登録の判定を行う。
【００７０】
＜ｓｔｅｐ９＞
書込／読出端末Ｂにて読み出した受領主の認証印ＡのＩＤが、登録済みの認証印ＡのＩＤと一致していれば、登録された認証印Ａとしてｓｔｅｐ１０に進み、不一致であれば、ｓｔｅｐ１１に進む。
【００７１】
＜ｓｔｅｐ１０＞
書込／読出端末Ｂにて読み出した認証データ（配送伝票識別番号及び受領主の認証印ＡのＩＤ）と、書込／読出端末Ｂにアップローディングした登録済み認証データ（登録済み配送伝票識別番号及び登録済み認証データ）とが一致している場合は、ｓｔｅｐ１２に進み、不一致でれば、ｓｔｅｐ１５に進む。
【００７２】
＜ｓｔｅｐ１１＞
ｓｔｅｐ９にて、受領主の認証印ＡのＩＤが、登録済みの認証印ＡのＩＤと不一致であって、受領主の認証印Ａが未登録印である場合は、必要に応じて、書込／読出端末Ｂにてデータファイル端末Ｃに、インターネットＮを介して受領主の未登録認証印ＡのＩＤの登録許可申請を送信し、該データファイル端末Ｃに、未登録印としてファイリングした後、ｓｔｅｐ１５に進む。
【００７３】
＜ｓｔｅｐ１２＞
ｓｔｅｐ１０にて、書込／読出端末Ｂにて読み出した認証データと、登録済み認証データとが一致している場合、配送員は、書込／読出端末Ｂのメモリに、照合結果情報として当該配送伝票識別番号に押印した認証印ＡのＩＤの一致と物品配送済みとを記録する。
【００７４】
＜ｓｔｅｐ１３＞
配送業者（配送員）は、書込／読出端末Ｂに記録集積された照合結果情報を、有線Ｌ1 又はインターネットＮを介して配送データファイル端末Ｃにダウンローディングする。
【００７５】
＜ｓｔｅｐ１４＞
書込／読出端末Ｂが照合結果情報を配送データファイル端末Ｃにダウンローディングすると、配送データファイル端末Ｃの配送データリスト中の当該配送伝票識別番号欄が配送済みと記録登録される。
【００７６】
＜ｓｔｅｐ１５＞
物品受領主の認証印Ａが、ｓｔｅｐ７にて読み取り不能となった場合、また、ｓｔｅｐ９にて未登録印となった場合、また、ｓｔｅｐ１０にて、登録済みデータと不一致となった場合は、認証印Ａを通常印（ＩＣタグの内蔵されていない印鑑）の押印扱いとする。
【００７７】
＜ｓｔｅｐ１６＞
配送業者（配送員）は、書込／読出端末Ｂにて、データファイル端末ＣにインターネットＮを介して、通常印扱いとなった配送伝票識別番号を送信する。
【００７８】
＜ｓｔｅｐ１７＞
データファイル端末Ｃは、通常印扱いとなった配送伝票識別番号を受信し、通常印配送データファイルに、当該配送伝票識別番号を記録する。
【００７９】
＜ｓｔｅｐ１８＞
配送業者（配送員）は、記録された通常印扱い配送データファイル中の通常印扱いによる配送伝票識別番号と、回収した配送伝票の配送伝票識別番号を目視照合するとともに、回収された当該配送伝票に通常印の押印がされていることを確認した後、ｓｔｅｐ１４に戻り、配送データファイル端末Ｃの配送データリスト中の当該配送伝票識別番号欄に配送済みと記録登録する。
【００８０】
本発明の請求項６に係るＩＣ内蔵認証印を用いた物流配送システムの具体的実施例を、図９〜図１０に示すシステムフローチャートに基づいて以下に詳細に説明する。
【００８１】
＜ｓｔｅｐ１＞
まず、物品配送依頼主（物品送り主）は、物品配送業者（配送請負主、配送引受店、配送事業所）に、物品受領主への物品の配送を依頼する。
【００８２】
＜ｓｔｅｐ２＞
物品配送業者は、配送依頼主の配送依頼によって、所定の配送伝票（配送業者用、物品添付用、配送依頼主（送り主）控え用、物品受領主控え用）に、配送伝票識別番号、物品
配送依頼主名、配送物品名、物品受領主名などを記入して配送伝票を作成するとともに、物品配送依頼主の控え用配送伝票を、物品配送依頼主（物品送り主）に渡し、物品添付用配送伝票と物品受領主控え用配送伝票を、配送対象の物品に添付し、配送引受担当事業所名、物品配送依頼主名、配送物品名、物品受領主の認証データ（ＩＤ）、配送日等の配送データを、キーボード（マウス）などにて、配送データファイリング端末Ｃに、データ入力し、記録し、物品受領主の登録済み認証データ（ＩＤ）として登録する。
【００８３】
＜ｓｔｅｐ３＞
物品配送業者（配送員）は、配送対象の物品を、該物品に添付されている受領主控え用の配送伝票とともに物品受領主に手渡すとともに、所持する書込／読出端末Ｂにて、認証データ（配送業者控え用の配送伝票の配送伝票識別番号（バーコードなど）を読み取る。
【００８４】
＜ｓｔｅｐ４＞
配送員又は受領主は、配達した物品に添付されている配送業者控え用の配送伝票に、受領主が予め保持しているＩＣチップ内蔵の認証印Ａを朱肉押印し、その際に、配送業者（配送員）は、所持する書込／読出端末Ｂにて、認証印Ａの認証データ（受領主の押印した認証印Ａに内蔵するＩＣチップのＩＤ）を読み取る。
【００８５】
＜ｓｔｅｐ５＞
配送員は、認証印Ａの押印された配送業者控え用の配送伝票を回収し保管する。
【００８６】
＜ｓｔｅｐ６＞
次に、配送員は、書込／読出端末Ｂにて受領主の押印した認証印Ａに内蔵するＩＣチップのＩＤを読み取りできた場合は、ｓｔｅｐ７に進み、読み取りできない場合は、ｓｔｅｐ１１に進む。
【００８７】
＜ｓｔｅｐ７＞
配送員は、書込／読出端末Ｂにて、読み取った認証データ（配送伝票識別番号及び受領主の認証印ＡのＩＤ）を、配送業者側の配送データファイリング端末Ｃに送信する。
【００８８】
＜ｓｔｅｐ８＞
配送データファイリング端末Ｃは、受信した認証データ（配送伝票識別番号及び受領主の認証印ＡのＩＤ）を、該端末Ｃに登録済みの認証データ（登録済み配送伝票識別番号及び受領主の登録済み認証印ＡのＩＤ）をＩＤデータファイルの中から検索し、該端末Ｃのデータファイル中に受信した認証データ（配送伝票識別番号及び認証印Ａ）に該当する登録済みの認証データであるか否かを照会して、登録済印か、未登録印かの判定をする。
【００８９】
＜ｓｔｅｐ９＞
配送データファイリング端末Ｃが受信した受領主の認証印Ａが、登録済みの認証印Ａであれば、ｓｔｅｐ１０に進み、未登録の認証印であれば、ｓｔｅｐ１１に進む。
【００９０】
＜ｓｔｅｐ１０＞
ｓｔｅｐ９にて、配送データファイリング端末Ｃが受信した受領主の認証印Ａが登録済みの認証印であれば、配送データファイリング端末Ｃは、受信した配送伝票識別番号と登録済み認証印ＡのＩＤとを認証データ（ＩＤ）として、該端末Ｃの着信データファイルに一旦記録する。
【００９１】
＜ｓｔｅｐ１１＞
ｓｔｅｐ６にて、配送員が書込／読出端末Ｂにて受領主の押印した認証印Ａに内蔵するＩＣチップのＩＤを読み取りできない場合、あるいはｓｔｅｐ９にて、配送員が書込／読
出端末Ｂにて読み取った受領主Ａ1 の認証印が未登録の認証印である場合、あるいはｓｔｅｐ１３にて、登録済み認証データ（ＩＤ）と不一致である場合は、書込／読出端末Ｂに、当該配送伝票識別番号の配送伝票に実際に押印した認証印が通常印扱いであることを記録して、ｓｔｅｐ１５に進む。
【００９２】
＜ｓｔｅｐ１２＞
配送データファイリング端末Ｃの着信データファイルに記録された配送伝票識別番号の配送伝票に実際に押印した認証印Ａの書込／読出端末Ｂによって読み出された認証データ（ＩＤ）と、該配送伝票識別番号に対応する配送データファイリング端末Ｃに既に登録済みの配送データリスト中の登録済み認証データ（ＩＤ）とを比較照合する。
【００９３】
＜ｓｔｅｐ１３＞
照合の結果が、登録済み認証データ（ＩＤ）と一致している場合は、ｓｔｅｐ１４に進み、不一致の場合は、ｓｔｅｐ１１に戻り、当該配送伝票識別番号の配送伝票に実際に押印した認証印が通常印扱いであることを記録してｓｔｅｐ１５に進む。
【００９４】
＜ｓｔｅｐ１４＞
当該配送伝票識別番号の配送伝票に実際に押印した認証印Ａの認証データ（ＩＤ）が、登録済み認証データ（ＩＤ）と一致している場合は、配送データファイリング端末Ｃの配送データリスト中の配送伝票識別番号の配送伝票リストを配送済みと記録し、登録する。
【００９５】
＜ｓｔｅｐ１５＞
ｓｔｅｐ６にて、配送員が書込／読出端末Ｂにて受領主の押印した認証印Ａに内蔵するＩＣチップのＩＤを読み取りできない場合、あるいはｓｔｅｐ９にて、配送員が書込／読出端末Ｂにて読み取った受領主の認証印が未登録の認証印である場合、あるいはｓｔｅｐ１３にて、登録済み認証データ（ＩＤ）と不一致である場合には、書込／読出端末Ｂに、当該配送伝票識別番号の配送伝票に実際に押印した認証印（受領主の押印したＩＣチップ内蔵の認証印Ａ又はＩＣチップが内蔵されていない通常の認証印）が通常印扱い（回収後の配送伝票に押印されている認証印の印影目視による押印事実の確認扱い）であることを記録した後、書込／読出端末Ｂにて、配送データファイリング端末Ｃに対してインターネットＮを介して、当該配送伝票識別番号の配送伝票に実際に押印した認証印が通常印扱いである旨を送信し、必要に応じてその認証印Ａの認証データ（ＩＤ）の登録許可の申請を送信する。
【００９６】
＜ｓｔｅｐ１６＞
配送業者側のデータファイリング端末Ｃは、通常認証印扱いの当該配送伝票識別番号と認証印Ａが通常認証印扱いであることを通知する通常認証印通知とを受信し、該端末Ｃに既に登録されている配送データリスト中の前記配送伝票識別番号を通常認証印扱いと記録して登録する。又は、当該配送伝票識別番号を、通常印扱い配送データファイルに記録する。
【００９７】
＜ｓｔｅｐ１７＞
物品配送業者は、データファイリング端末Ｃの配送データリスト中に通常認証印扱いとして記録され登録された配送伝票識別番号と、通常認証印扱いとして回収した配送伝票の配送伝票識別番号とを目視にて照合し、その配送伝票の通常認証印扱いとした認証印による押印の有無を目視にて確認し、回収した配送伝票に通常認証印扱いとした認証印による押印がされている場合はｓｔｅｐ１４に戻り、配送データファイリング端末Ｃの配送データリスト中の配送伝票識別記号ＨＮA1の配送伝票リストを配送済みと記録し、登録する。
【００９８】
本発明システムにおいては、物品を配送後に、配送業者側にある配送データファイリン
グ端末Ｃの配送データファイルに記憶集積され登録された配送伝票識別番号、各々物品配送依頼主のＩＤ（認証データ）、物品受領主のＩＤ（認証データ）及び配送物品名、配送データリスト（配送日、配送状況（配送済み、ＩＣ内蔵認証印、通常認証印扱い）等のデータは、有線、物品配送業者側の社内ネットワーク（イントラネットＮ1 ）、インターネットなどのネットワークＮを介して、認証処理管理手段Ｄに送信することができる。
【００９９】
認証処理管理手段Ｄでは、該手段Ｄに搭載する物品の配送完了の証明処理と集計処理プログラム、あるいは配送状況データの集計プログラムに基づいて、配送データファイリング端末Ｃの配送データファイルに記憶集積され登録された配送伝票識別番号、各々物品配送依頼主のＩＤ（認証データ）や各々物品受領主のＩＤ（認証データ）、及び配送物品名、配送データリスト（配送日、配送状況（配送完了、配達完了）、ＩＣ内蔵認証印、通常認証印扱い）等のデータを用いて、物品の配送完了の証明処理と集計処理、あるいは配送状況データの集計等を能率的且つ効率的に行うことができる。
【図面の簡単な説明】
【０１００】
【図１】（ａ）は本発明のＩＣ内蔵認証印の側面図、（ｂ）はその下面図、（ｃ）はＩＣチップを内蔵した認証印の構造を説明する側面図。
【図２】（ａ）は本発明のＩＣ内蔵認証印に書込／読出端末を近接させて書き込み読み出しを行う実施形態を説明する説明図、（ｂ）は本発明のＩＣ内蔵認証印と書込／読出端末との間に帳票類を介在させてＩＣ内蔵認証印にて押印するとともに書き込み読み出しを行う実施形態を説明する説明図。
【図３】本発明システムの一実施例を説明するシステムブロック図。
【図４】本発明システムの他の実施例を説明するシステムブロック図。
【図５】本発明システムの一実施例における手順を示すシステムフローチャート図。
【図６】本発明システムの他の実施例における手順を示すシステムフローチャート図。
【図７】本発明システムのその他の実施例における手順を示すシステムフローチャート図。
【図８】本発明システムの手順を示すシステムフローチャート図。
【図９】本発明システムの他の実施例における手順を示すシステムフローチャート図。
【図１０】本発明システムのその他の実施例における手順を示すシステムフローチャート図。
【符号の説明】
【０１０１】
１…ホルダー部  ２…印字ヘッド部  ３…印字部（印字凸部）  ４…ＩＣチップ
５…帳票類
Ａ…ＩＣチップを内蔵する認証印
Ｂ…ＩＣチップ書込／読出端末
Ｃ…配送データファイリング端末
Ｄ…認証処理管理手段Ｄ
Ｎ…インターネットなどネットワーク
Ｎ1 …社内ネットワーク
【図１】
2005239376.tif 000003
【図２】
2005239376.tif 000004
【図３】
2005239376.tif 000005
【図４】
2005239376.tif 000006
【図５】
2005239376.tif 000007
【図６】
2005239376.tif 000008
【図７】
2005239376.tif 000009
【図８】
2005239376.tif 000010
【図９】
2005239376.tif 000011
【図１０】
2005239376.tif 000012